(57)【要約】【課題】単位ブロック同士の表面側ポッチと裏面側凹部の結合以外に、表面側同士の直接的な結合も可能な構造のブロック玩具を提供する。【解決手段】基台２の表面側に円筒状ポッチ３を複数形成し、少なくとも隣り合う４つのポッチ３の中心位置同士を結ぶ四辺が正方形をなすように配置し、ポッチ３の外径寸法は、前記正方形の対角線上の２つのポッチ３同士の間隔寸法と同じに設定しており、少なくとも隣り合う４つのポッチ３同士の間に形成される空間に、一つの円筒状ポッチ３が嵌り合う寸法関係に設定し、二つの単位ブロック１の表面同士を連結結合することができる。このように単位ブロック１の表面同士を連結結合するという結合パターンによって、その応用範囲の拡大が図れる。【選択図】  図１
0003185708.tif 000002
【実用新案登録請求の範囲】
【請求項１】
平面視で長方形又は正方形の基台と、前記基台の表面側に形成された、複数の円筒形状のポッチとを備えた単位ブロックであって、前記複数のポッチは同一形状、同一寸法をしており、少なくとも隣り合う４つの前記ポッチの中心位置同士を結ぶ四辺が正方形をなすように、前記４つのポッチが前記基台上に形成されており、前記ポッチの外径寸法は、前記正方形の対角線上の２つのポッチ同士の間隔寸法と同じであることを特徴とするブロック玩具。
【請求項２】
複数の前記単位ブロックを隣り合わせに接触して並べる場合、その接触位置にまたがる４つのポッチの中心位置により形成される正方形は、単位ブロックの４つのポッチの中心位置により形成される正方形と同一であることを特徴とする、請求項１に記載のブロック玩具。
【請求項３】
前記基台の、前記ポッチとは反対側の裏面側には凹部が形成され、前記凹部の底面の、前記４つのポッチの中心位置により形成される正方形の中心位置の裏面側に対応する位置には、前記ポッチと同一形状、同一寸法のポッチが形成されている請求項１又は２に記載のブロック玩具。
【請求項４】
前記単位ブロックと、前記単位ブロックとは別の接続ブロックによって、重ね合わせた状態で接続可能となっており、
前記接続ブロックは、その一端側に前記ポッチが嵌め込まれる形状及び寸法の凹部を有し、他端側に前記ポッチと同じ形状及び寸法を有するブロックであって、一つの前記単位ブロックの裏面側の凹部に形成されている前記ポッチに、前記接続ブロックの一端の前記凹部が嵌め合わされ、前記接続ブロックの他端の前記ポッチが、前記単位ブロックの表面側の４つのポッチの正方形の中心位置に嵌め合わせ可能になっている請求項３に記載のブロック玩具。
【請求項５】
前記凹部は正方形をなしており、前記単位ブロックの裏面側の前記ポッチと、前記凹部の角部の内壁との間に、前記単位ブロックの前記ポッチが嵌め合わせ可能となっている請求項３に記載のブロック玩具。
【考案の詳細な説明】
【技術分野】
【０００１】
本考案は、複数種類の単位ブロック及び接続ブロックを結合し、任意の立体形状を組み立てることができるブロック玩具において、その結合パターンの拡大を図ることのできる技術に関するものである。
【背景技術】
【０００２】
この種のブロック玩具は、直方体又は立方体の基台の表面側に円筒形状のポッチを形成し、裏面側に前記ポッチが嵌合することのできる凹部を形成した単位ブロックを結合することで、自動車、船、飛行機、ロボット、動物、建物等の任意の立体形状を組み立てて遊ぶことができるようにしている。従来のブロック玩具の一例を示せば、以下の特許文献１及び２に記載された通りである。
【０００３】
特許文献１（特開２００７−８２６４７号公報）に記載された技術は、直方体又は立方体の単位ブロックの表面側に円筒状のポッチを突出形成し、裏面側に前記円筒状のポッチが嵌合し得る凹部を形成している。そして、単位ブロックどうしを上下に積み重ねて下位の単位ブロックの表面側に形成されたポッチを、上位の単位ブロックの裏面側に形成された凹部へ嵌合させ、単位ブロックどうしを連結結合するようにしている。ブロックどうしの連結は、同列（同方向）に又は交差して連結することで、その連結空間を拡大し、任意の形状に発展させることができるようにしている。
【０００４】
特許文献２（特開２００９−３９４４０号公報）に記載された技術は、特許文献１と同様に、直方体又は立方体の単位ブロックの表面側に円筒状のポッチを突出形成し、裏面側に前記円筒状のポッチが嵌合し得る凹部を形成している。ブロック同士の結合も同じであり、単位ブロックの表面側に形成されたポッチを、上位の単位ブロックの裏面側に形成された凹部へ嵌合させて結合するようにしている。この特許文献２の技術では、単位ブロックの平行な二側面に把持用の凹部を設け、結合したブロック同士を解体するときに、前記凹部を指で把持して外れ易くすることに特徴を有している。
【先行技術文献】
【特許文献】
【０００５】
【特許文献１】特開２００７−８２６４７号公報
【特許文献２】特開２００９−３９４４０号公報
【考案の概要】
【考案が解決しようとする課題】
【０００６】
前記特許文献１及び２に示す技術では、単位ブロックの表面側のポッチを裏面側の凹部へ嵌合させて連結するだけであり、単位ブロック同士の表面側同士を直接に連結結合するということができない。そのため、ブロック同士の連結結合が一義的であり、それ以外の連結結合パターンがなく、応用範囲が狭いという欠点があった。
【０００７】
本考案は、従来の前記問題点に鑑みてこれを改良除去したものであって、単位ブロック同士の表面側ポッチと裏面側凹部の結合以外に、表面側同士の直接的な結合も可能な構造のブロック玩具を提供せんとするものである。
【課題を解決するための手段】
【０００８】
前記課題を解決するために本考案が採用した請求項１の手段は、平面視で長方形又は正方形の基台と、前記基台の表面側に形成された、複数の円筒形状のポッチとを備えた単位ブロックであって、前記複数のポッチは同一形状、同一寸法をしており、少なくとも隣り合う４つの前記ポッチの中心位置同士を結ぶ四辺が正方形をなすように、前記４つのポッチが前記基台上に形成されており、前記ポッチの外径寸法は、前記正方形の対角線上の２つのポッチ同士の間隔寸法と同じであることを特徴とするブロック玩具である。
【０００９】
本考案が採用した請求項２の手段は、複数の前記単位ブロックを隣り合わせに接触して並べる場合、その接触位置にまたがる４つのポッチの中心位置により形成される正方形は、単位ブロックの４つのポッチの中心位置により形成される正方形と同一であることを特徴とする、請求項１に記載のブロック玩具である。
【００１０】
本考案が採用した請求項３の手段は、前記基台の、前記ポッチとは反対側の裏面側には凹部が形成され、前記凹部の底面の、前記４つのポッチの中心位置により形成される正方形の中心位置の裏面側に対応する位置には、前記ポッチと同一形状、同一寸法のポッチが形成されている請求項１又は２に記載のブロック玩具である。
【００１１】
本考案が採用した請求項４の手段は、前記単位ブロックと、前記単位ブロックとは別の接続ブロックによって、重ね合わせた状態で接続可能となっており、前記接続ブロックは、その一端側に前記ポッチが嵌め込まれる形状及び寸法の凹部を有し、他端側に前記ポッチと同じ形状及び寸法を有するブロックであって、一つの前記単位ブロックの裏面側の凹部に形成されている前記ポッチに、前記接続ブロックの一端の前記凹部が嵌め合わされ、前記接続ブロックの他端の前記ポッチが、前記単位ブロックの表面側の４つのポッチの正方形の中心位置に嵌め合わされる請求項３に記載のブロック玩具である。
【００１２】
本考案が採用した請求項５の手段は、前記凹部は正方形をなしており、前記単位ブロックの裏面側の前記ポッチと、前記凹部の角部の内壁との間に、前記単位ブロックの前記ポッチが嵌め合わされるようになっている請求項３に記載のブロックである。
【考案の効果】
【００１３】
請求項１の考案にあっては、基台の表面側に円筒状ポッチを複数形成し、少なくとも隣り合う４つのポッチの中心位置同士を結ぶ四辺が正方形をなすように配置されている。そして、前記ポッチの外径寸法は、前記正方形の対角線上の２つのポッチ同士の間隔寸法と同じに設定されている。つまり、少なくとも隣り合う４つのポッチ同士の間に形成される空間に、一つの円筒状ポッチが嵌り合う寸法関係に設定されている。そのため、二つの単位ブロックの表面同士を連結結合することができる。このように単位ブロックの表面同士を連結結合するという結合パターンは今までに無く、その応用範囲の拡大が図れる。
【００１４】
請求項２の考案にあっては、単位ブロックを同一平面内で並べたときに、ポッチの配置間隔が同一寸法になるようにしている。そのため、これらの並べた単位ブロック同士に跨る寸法の単位ブロックを準備し、その表面側のポッチを前記並べた単位ブロックのポッチ同士の間に形成される空間に嵌合させることにより、これらの単位ブロック同士を連結結合することができ、結合パターンの応用範囲の拡大が図れる。
【００１５】
請求項３の考案にあっては、基台のポッチが形成されている表面側とは反対側の裏面側に凹部を形成し、その中心位置に表面側のポッチと同一形状及び同一寸法のポッチを形成している。この請求項３の考案は、次の請求項４の考案により連結結合される。
【００１６】
請求項４の考案にあっては、単位ブロックとは別の接続ブロックを利用する。この接続ブロックは、その一端側に前記ポッチが嵌め込まれる形状及び寸法の凹部を有し、他端側に前記ポッチと同じ形状及び寸法を有している。この接続ブロックの一端側の凹部を前記請求項３の裏面側に形成されたポッチに嵌合させ、他端側を単位ブロックの表面側の４つのポッチの正方形の中心位置に嵌合させることにより、上下の単位ブロックどうしの間に所定の間隔を開けて接続ブロックで連結結合することが可能である。
【００１７】
請求項５の考案にあっては、単位ブロックの裏面側に形成した凹部が正方形をなしており、前記単位ブロックの裏面側の前記ポッチと、前記凹部の角部の内壁との間に、前記単位ブロックの前記ポッチが嵌め合わされるようになっている。そのため、従来のブロック玩具と同様に、単位ブロック同士を上下に重ねて下段に位置する単位ブロックの表面側のポッチを、上段に位置する単位ブロックの裏面側の凹部に嵌合させて連結結合することが可能である。
【図面の簡単な説明】
【００１８】
【図１】本考案の一実施の形態のブロック玩具に係るものであり、図（Ａ）は単位ブロック同士を表面側同士で結合する前の状態を示す斜視図、図（Ｂ）は同結合後の状態を示す斜視図、図（Ｃ）は同結合後の状態を示す平面図である。
【図２】本考案の一実施の形態のブロック玩具に係るものであり、図（Ａ）は単位ブロックと接続ブロックとの結合前の状態を示す斜視図、図（Ｂ）は同結合後の状態を示す斜視図、図（Ｃ）は同結合後の状態を示す平面図である。
【図３】本考案の一実施の形態のブロック玩具に係るものであり、図（Ａ）は単位ブロック同士を接続ブロックで結合する場合の結合前の状態を示す斜視図、図（Ｂ）は結合後の状態を示す斜視図である。
【図４】本考案の一実施の形態のブロック玩具に係るものであり、図（Ａ）は単位ブロックと別の種類の単位ブロックとを接続ブロックで結合する場合の結合前の状態を示す斜視図、図（Ｂ）は結合後の状態を示す斜視図である。
【図５】本考案の一実施の形態のブロック玩具に係るものであり、別の種類の単位ブロックと接続ブロックとの結合前の状態を示す斜視図、図（Ｂ）は同結合後の状態を示す斜視図、図（Ｃ）は同結合後の状態を示す平面図である。
【図６】本考案の一実施の形態のブロック玩具に係るものであり、図（Ａ）は三段に重ね合わせた場合の斜視図、図（Ｂ）は二段目の単位ブロックの一つを回動させた場合の平面図である。
【図７】本考案の一実施の形態のブロック玩具に係るものであり、図（Ａ）は接続ブロックと電球形状のアクセサリーブロックとの結合前の状態を示す斜視図、図（Ｂ）は結合後の状態を示す側面図である。
【図８】本考案の一実施の形態のブロック玩具に係るものであり、別の種類の接続ブロックを示す斜視図である。
【図９】本考案の一実施の形態のブロック玩具に係るものであり、更に別の種類の接続ブロックを示す斜視図である。
【図１０】本考案の一実施の形態のブロック玩具に係るものであり、更に別の種類の接続ブロックを示す斜視図である。
【図１１】本考案の一実施の形態のブロック玩具に係るものであり、更に別の種類の接続ブロックを示す斜視図である。
【図１２】本考案の一実施の形態のブロック玩具に係るものであり、一列３ポッチの単位ブロックを示す斜視図である。
【図１３】本考案の一実施の形態のブロック玩具に係るものであり、立方体の単位ブロックを部分的に切除した変形単位ブロックを示す斜視図である。
【図１４】本考案の一実施の形態のブロック玩具に係るものであり、二列６ポッチの単位ブロックを示す斜視図である。
【図１５】本考案の一実施の形態のブロック玩具に係るものであり、二列８ポッチの単位ブロックを示す斜視図である。
【考案を実施するための形態】
【００１９】
以下に、本考案の構成を図１に示す一実施の形態に基づいて説明すると次の通りである。この単位ブロック１は、平面視で略正方形を成している。尚、コーナー部はＲ面状の面取り及び直線状のカットが施され、怪我等をしないようにしてある。基台２の表面側には円筒形状のポッチ３が４つ突出形成されている。ポッチ３の上端外周縁は嵌合を容易にするための面取りが施されている。
【００２０】
ところで、前記４つのポッチはそれぞれが同一形状及び同一寸法を有しており、またそれぞれの中心位置を結ぶ直線で形成される形状が正方形になるように配置されている。更に、これらのポッチ３の外径寸法は、前記正方形の対角線上の２つのポッチ同士の間隔寸法と同じになるように設定されている。
【００２１】
また基台２の裏面側には凹部４が形成されており、前記表面側の４つのポッチ３の中心位置により形成される正方形の中心位置の裏面側に対応する位置には、前記ポッチ３と同一形状、同一寸法のポッチ５が形成されている。このポッチ５と凹部４の底面と凹部４の内壁面とに跨って、十文字状に配された補強用のリブ６が設けられており、単位ブロック全体の強度アップが図られている。この補強用のリブ６は、図１の図（Ｃ）に最も良く表されているように、表面側の４つのポッチ３のそれぞれの中間を仕切る位置に対応して十文字状に配されている。一方、この十文字状のリブ６を挟んで、凹部４の内壁面には半円柱形状のリブ７が形成されている。
【００２２】
ところで、補強用のリブ６によって４つに区画された前記凹部４内の領域において、裏面中央のポッチ５の外周面と、内壁面の２つのリブ７の外周面との間には前記表面側のポッチ３が外周面接合して嵌合装着できるように寸法関係が設定されている。従って、図１に示す単位ブロック１同士を上下に積み重ねて、下段の単位ブロックの表面側の４つのポッチ３を、上段の単位ブロックの裏面側の凹部４に嵌合装着して連結結合することも可能である（図示省略）。
【００２３】
図１は、下段の単位ブロック１の表面側の４つのポッチ３どうしの間に形成される空間に、裏面側を上向きにした上段の単位ブロック１の下向きのポッチ３の一つを嵌合装着して同図の図（Ｂ）及び図（Ｃ）に示すように連結結合している。これにより、二つの単位ブロック１の表面同士を連結結合することができる。このように単位ブロック１の表面同士を連結結合するという結合パターンは今までに無く、その応用範囲の拡大が図れる。
【００２４】
なお、単位ブロック１は、図１の図（Ａ）に示すように、実線で示す単位ブロック１の隣に鎖線で示す単位ブロック１を同一平面内で突き合せて並べたときに、二つの単位ブロック１，１に跨るポッチ３の配置間隔が同一寸法になるようにしている。そのため、これらの並べた単位ブロック同士に跨る寸法の図１２乃至図１５に示す単位ブロック８，９，１０を準備し、その表面側のポッチ３を前記並べた単位ブロック１，１のポッチ３同士の間に形成される空間に嵌合させることにより、これらの単位ブロック１，１同士を連結結合することができ、結合パターンの更なる応用範囲の拡大が図れる。
【００２５】
図２は、前記単位ブロック１と接続ブロック１１との結合状態を示すものである。接続ブロック１１は、その一端側（図２の図（Ａ）及び図（Ｂ）の上方側）に凹部１１Ａ（図５の図（Ａ）及び図（Ｂ）参照）が形成され、他端側にポッチ１２が形成されている。前記凹部１１Ａは、単位ブロック１の表面側及び裏面側に形成されたポッチ３，５と同一形状及び同一寸法に設定されている。また他端側のポッチ１２は、単位ブロック１のポッチ３，５と同じ形状及び寸法を有している。例えば、接続ブロック１１は、その一端側に設けられた凹部１１Ａを単位ブロック１の裏面側中央位置に形成されたポッチ５に外嵌装着することができる（図２の図（Ｂ）及び図（Ｃ）参照）。
【００２６】
そして、前記接続ブロック１１の他端側のポッチ１２を、別の単位ブロック１の表面側の４つのポッチ３同士の間に形成される空間へ嵌合装着することで、図３の図（Ａ）及び図（Ｂ）に示すように、上下の単位ブロック１，１どうしの間に所定の間隔を開けて接続ブロック１１でこれらを連結結合することが可能である。
【００２７】
また図４の図（Ａ）及び図（Ｂ）に示すように、図３の下段に位置する単位ブロック１の代わりに、別の接続ブロック１３を嵌合装着したり、又は単位ブロック１の裏面側を嵌合装着することも可能である。接続ブロック１３は、基台部分が四角柱状を成し、その一端側に接続ブロック１１のポッチ１２と同一形状及び同一寸法の凹部が形成されており、他端側に前記したポッチ３，５，１２と同じ形状及び同じ寸法のポッチ１４が形成されている。
【００２８】
図４の図（Ｂ）に示す場合は、接続ブロック１１のポッチ１２を、単位ブロック１の裏面側の凹部４におけるポッチ５と、リブ７，７とで囲まれる空間へ嵌合装着すればよい（図１の図（Ｃ）参照）。
【００２９】
図５は、基台１７の表面側に２つのポッチ３を一列に形成した単位ブロック１５を示すものである。この場合、裏面側の凹部１８の対向する壁面には、半円柱形状のリブ１６を合計４つ設けて接続ブロック１１のポッチ１２が嵌合装着されるようにしている。同図の図（Ｂ）及び図（Ｃ）は結合後の状態を示すものである。
【００３０】
図６は、上下三段に単位ブロックを積み重ねて結合した場合を示すものである。最上位と最下位に図１に示す単位ブロック１を配置し、中段に図５に示す単位ブロック１５を２個配設するようにしている。そして、中段の単位ブロック１５のうちの一つを、そのポッチ３が単位ブロック１の外方へ食み出すように結合している。これにより、食み出した単位ブロック１５は、嵌合しているポッチを中心にして同図の図（Ｂ）の矢符で示すように、回動自在である。
【００３１】
図７は、アクセサリー用の単位ブロック２１と、接続ブロック１１とを連結結合したものである。単位ブロック２１は、球状部１９と円筒状接続部２０とを有しており、円筒状接続部２０は接続ブロック１１のポッチ１２に形成された凹部１２Ａ（図２の図（Ａ）参照）と同一形状、同一寸法に形成されている。
【００３２】
図８は、他の接続ブロック２２を示すものである。この接続ブロック２２は、基台２３の上面側にポッチ３，５，１２等と同じ形状、寸法のポッチ２４を有し、一側面に球状の関節２５を有している。また基台２３の裏面側には図７及び図８に示す球状部１９，２５及びポッチ３，５，１２等が嵌合し得る凹部が形成されている。
【００３３】
図９は、他の接続ブロック２６を示すものである。この接続ブロック２６は、図８に示す接続ブロック２６のポッチ２４を２つに増やし、球状関節２５の代わりに、中央部に二股状の球状関節受け部２７を有し、その両側面に前記各ポッチと同一寸法同一形状のポッチ２８を設けている。
【００３４】
図１０は、他の接続ブロック２９を示すものである。この接続ブロック２９は、上面側と一側面側に各ポッチと同一形状及び同一寸法のポッチ３０，３１を設け、下面側に各ポッチ及び球状部が嵌合し得る凹部を形成している。
【００３５】
図１１は、図１０に示す接続ブロック２９の側面に設けたポッチ３１の代わりに、これらの各ポッチを嵌合することのできる筒状凹部３２を設けた接続部３３を設けた接続ブロック３４を示すものである。
【００３６】
図１２乃至図１５は、単位ブロックの他の例を示すものである。図１２はポッチ３が一列に３つ配設された場合の単位ブロック８であり、図１３は、図１に示す単位ブロック１の一つのポッチ３に相当する領域を切除した単位ブロック３５を示すものである。また図１４はポッチ３を二列で６つ設けた場合の単位ブロック９であり、図１５はポッチ３を二列で８つ設けた場合の単位ブロック１０を示すものである。
【００３７】
ところで、本考案は上述した実施の形態に限定されるものではなく、適宜の変更が可能である。例えば、ポッチ３等を設ける列の数や全体のポッチの数等は任意に設定することができる。
【産業上の利用可能性】
【００３８】
本考案のブロック玩具は、ブロック同士の連結結合の種類が多様なため、応用範囲が広く、玩具に有用である。
【符号の説明】
【００３９】
１  単位ブロック
２  基台
３  ポッチ
４  凹部
５  裏面中央部のポッチ
６  補強用のリブ
７  半円柱状リブ
１１  接続ブロック
【図１】
0003185708.tif 000003
【図２】
0003185708.tif 000004
【図３】
0003185708.tif 000005
【図４】
0003185708.tif 000006
【図５】
0003185708.tif 000007
【図６】
0003185708.tif 000008
【図７】
0003185708.tif 000009
【図８】
0003185708.tif 000010
【図９】
0003185708.tif 000011
【図１０】
0003185708.tif 000012
【図１１】
0003185708.tif 000013
【図１２】
0003185708.tif 000014
【図１３】
0003185708.tif 000015
【図１４】
0003185708.tif 000016
【図１５】
0003185708.tif 000017